(57)【要約】【課題】ユーザが選択する操作を行うことなく、複数の接続部を介して受信する複数の信号のうちの１つを選択して表示部に映像を表示することが可能な表示装置を提供する。【解決手段】映像を含む信号を伝達するための複数の規格にそれぞれ対応する複数の接続部（アンテナ接続部１、ビデオ端子接続部２、コンポーネント端子接続部３およびＨＤＭＩ端子接続部４）と、複数の接続部を介して受信する複数の信号のうちの１つを選択する機能を有する制御部９と、制御部９により選択される信号に基づいて映像を表示する表示部１０とを備えている。また、制御部９は、ＤＶＤ装置２５がＨＤＭＩ端子接続部４に接続されたことに応答して、ＨＤＭＩ端子接続部４を介して受信する信号を優先して選択して表示部１０に映像を表示するように構成されている。【選択図】図１
2008219544.tif 000002
【特許請求の範囲】
【請求項１】
第１の機器および第２の機器がそれぞれ接続され、前記第１の機器および前記第２の機器からの少なくとも映像を含む信号を伝達するための第１の規格および第２の規格にそれぞれ対応する第１接続部および第２接続部を備えた表示装置において、
前記第１接続部および前記第２接続部を介して受信する前記第１の規格に対応する前記信号および前記第２の規格に対応する前記信号のうちの１つを選択する機能を有する制御部と、
前記制御部により選択される前記信号に基づいて映像を表示する表示部と、
テレビジョン信号を受信するテレビジョン受信部とをさらに備え、
前記制御部は、前記第１の機器が前記第１接続部に接続されたことに応答して、前記第１接続部および前記第２接続部を介して受信する前記信号のうち、前記第１の規格に対応する前記第１接続部を介して受信する前記信号を優先して選択して前記表示部に前記信号に対応する映像を表示するとともに、前記第１接続部に接続される前記第１の機器から送信される前記第１接続部が接続されたことを知らせる接続信号に基づいて、前記第１接続部を介して受信する前記信号を優先して選択して前記表示部に前記信号に対応する映像を表示し、
前記第１接続部に接続される前記第１の機器の接続が切断された場合には、前記制御部は、前記第２接続部を介して受信する前記信号または前記テレビジョン信号を選択して前記表示部に前記映像を表示するように構成され、
前記第１の規格は、ＨＤＭＩ規格である、表示装置。
【請求項２】
第１の機器および第２の機器がそれぞれ接続され、前記第１の機器および前記第２の機器からの少なくとも映像を含む信号を伝達するための第１の規格および第２の規格にそれぞれ対応する第１接続部および第２接続部と、
前記第１接続部および前記第２接続部を介して受信する前記第１の規格に対応する前記信号および前記第２の規格に対応する前記信号のうちの１つを選択する機能を有する制御部と、
前記制御部により選択される前記信号に基づいて映像を表示する表示部とを備え、
前記制御部は、前記第１の機器が前記第１接続部に接続されたことに応答して、前記第１接続部および前記第２接続部を介して受信する前記信号のうち、前記第１の規格に対応する前記第１接続部を介して受信する前記信号を優先して選択して前記表示部に前記信号に対応する映像を表示するように構成されている、表示装置。
【請求項３】
前記制御部は、前記第１接続部に接続される前記第１の機器から送信される前記第１接続部が接続されたことを知らせる接続信号に基づいて、前記第１接続部を介して受信する前記信号を優先して選択して前記表示部に前記信号に対応する映像を表示するように構成されている、請求項２に記載の表示装置。
【請求項４】
テレビジョン信号を受信するテレビジョン受信部をさらに備え、
前記第１接続部に接続される前記第１の機器の接続が切断された場合には、前記制御部は、前記第２接続部を介して受信する前記信号または前記テレビジョン信号を選択して前記表示部に前記映像を表示するように構成されている、請求項２または３に記載の表示装置。
【請求項５】
前記第１の規格は、ＨＤＭＩ規格である、請求項２〜４のいずれか１項に記載の表示装置。
【発明の詳細な説明】
【技術分野】
【０００１】
この発明は、表示装置に関し、特に、少なくとも映像を含む信号を伝達するための複数の規格にそれぞれ対応する複数の接続部を備えた表示装置に関する。
【背景技術】
【０００２】
従来、少なくとも映像を含む信号を伝達するための複数の規格にそれぞれ対応する複数の接続部を備えた表示装置が知られている（たとえば、特許文献１および２参照）。
【０００３】
上記特許文献１には、複数のインターフェース規格にそれぞれ対応する複数の端子（接続部）と、複数の端子を介して受信する信号に基づいて映像を表示するＣＲＴ（表示部）と、ＣＲＴと接続する端子を切り替える切替制御部とを備えたモニタ受像機（表示装置）が開示されている。この特許文献１によるモニタ受像機は、複数の端子のうちのいずれか１つの端子のみを介して映像信号を受信する構成となっている。
【０００４】
また、上記特許文献２には、複数の規格にそれぞれ対応する複数の入力端子（接続部）と、複数の入力端子を介して受信する映像信号に基づいて映像を表示するディスプレイ（表示部）とを備えた画像表示装置が開示されている。この特許文献２による画像表示装置は、複数の入力端子を介して受信する映像信号のうちの１つを、ユーザが選択する構成となっている。
【０００５】
【特許文献１】特開２００５−５１５４７号公報
【特許文献２】特開２００６−１０８７５０号公報
【発明の開示】
【発明が解決しようとする課題】
【０００６】
しかしながら、上記特許文献１に記載のモニタ受像機は、複数の端子のうちのいずれか１つの端子のみを介して映像信号を受信する構成であるので、複数の端子を介して複数の映像信号を受信する場合に、切替制御部がＣＲＴと接続する端子を正確に切り替えることができない場合がある。したがって、このモニタ受像機は、複数の端子を介して複数の映像信号を受信する場合に、１つの映像信号を選択してＣＲＴに映像を表示することができない場合があるという問題点がある。
【０００７】
また、上記特許文献２に記載の画像表示装置は、複数の入力端子を介して受信する映像信号のうちの１つを、ユーザが選択する構成であるので、複数の入力端子を介して受信する映像信号のうちの１つを、ユーザが選択する操作を行わなければ、ディスプレイに映像を表示することができないという問題点がある。
【０００８】
この発明は、上記のような課題を解決するためになされたものであり、この発明の１つの目的は、ユーザが選択する操作を行うことなく、複数の接続部を介して受信する複数の信号のうちの１つを選択して表示部に映像を表示することが可能な表示装置を提供することである。
【課題を解決するための手段および発明の効果】
【０００９】
この発明の第１の局面による表示装置は、第１の機器および第２の機器がそれぞれ接続され、第１の機器および第２の機器からの少なくとも映像を含む信号を伝達するための第１の規格および第２の規格にそれぞれ対応する第１接続部および第２接続部を備えた表示装置において、第１接続部および第２接続部を介して受信する第１の規格に対応する信号および第２の規格に対応する信号のうちの１つを選択する機能を有する制御部と、制御部により選択される信号に基づいて映像を表示する表示部と、テレビジョン信号を受信するテレビジョン受信部とをさらに備えている。また、制御部は、第１の機器が第１接続部に接続されたことに応答して、第１接続部および第２接続部を介して受信する信号のうち、第１の規格に対応する第１接続部を介して受信する信号を優先して選択して表示部にその信号に対応する映像を表示するとともに、第１接続部に接続される第１の機器から送信される第１接続部が接続されたことを知らせる接続信号に基づいて、第１接続部を介して受信する信号を優先して選択して表示部にその信号に対応する映像を表示するように構成されている。また、第１接続部に接続される第１の機器の接続が切断された場合には、制御部は、第２接続部を介して受信する信号またはテレビジョン信号を選択して表示部に映像を表示するように構成されている。また、第１の規格は、ＨＤＭＩ規格である。
【００１０】
この第１の局面による表示装置では、上記のように、第１の機器および第２の機器からの少なくとも映像を含む信号を伝達するための第１の規格および第２の規格にそれぞれ対応する第１接続部および第２接続部と、第１接続部および第２接続部を介して受信する第１の規格に対応する信号および第２の規格に対応する信号のうちの１つを選択する機能を有する制御部と、制御部により選択される信号に基づいて映像を表示する表示部とを設け、制御部を、第１の機器が第１接続部に接続されたことに応答して、第１接続部および第２接続部を介して受信する信号のうち、第１の規格に対応する第１接続部を介して受信する信号を優先して選択して表示部にその信号に対応する映像を表示するように構成することによって、第１の機器が第１接続部に接続された場合に、制御部が第１接続部を介して受信する信号を優先して選択して表示部に映像が表示されるので、ユーザが選択する操作を行うことなく、複数の接続部を介して受信する複数の信号のうちの１つを選択して表示部に映像を表示することができる。
【００１１】
また、第１の局面による表示装置では、制御部を、第１接続部に接続される第１の機器から送信される第１接続部が接続されたことを知らせる接続信号に基づいて、第１接続部を介して受信する信号を優先して選択して表示部にその信号に対応する映像を表示するように構成することによって、制御部は、容易に、第１の機器が第１接続部に接続されたことを検知することができるので、第１の機器が第１接続部に接続された場合に、容易に、第１接続部を介して受信する信号を優先して選択して表示部にその信号に対応する映像を表示させることができる。また、テレビジョン信号を受信するテレビジョン受信部をさらに設け、第１接続部に接続される第１の機器の接続が切断された場合に、制御部を、第２接続部を介して受信する信号またはテレビジョン信号を選択して表示部に映像を表示するように構成することによって、第１の機器の接続が切断された場合に、制御部が第１接続部以外の接続部を介して受信する信号またはテレビジョン信号を選択して表示部に映像を表示するので、映像を表示しない状態が発生するのを抑制することができる。また、第１の規格を、ＨＤＭＩ規格にすることによって、ＨＤＭＩ規格に対応する接続部が接続された場合に、制御部がＨＤＭＩ規格に対応する接続部を介して受信する信号を優先して選択するので、ＨＤＭＩ規格に対応する接続部を介して受信する信号に基づいた映像を優先して表示部に表示することができる。
【００１２】
この発明の第２の局面による表示装置は、第１の機器および第２の機器がそれぞれ接続され、第１の機器および第２の機器からの少なくとも映像を含む信号を伝達するための第１の規格および第２の規格にそれぞれ対応する第１接続部および第２接続部と、第１接続部および第２接続部を介して受信する第１の規格に対応する信号および第２の規格に対応する信号のうちの１つを選択する機能を有する制御部と、制御部により選択される信号に基づいて映像を表示する表示部とを備え、制御部は、第１の機器が第１接続部に接続されたことに応答して、第１接続部および第２接続部を介して受信する信号のうち、第１の規格に対応する第１接続部を介して受信する信号を優先して選択して表示部にその信号に対応する映像を表示するように構成されている。
【００１３】
この第２の局面による表示装置では、上記のように、第１の機器および第２の機器からの少なくとも映像を含む信号を伝達するための第１の規格および第２の規格にそれぞれ対応する第１接続部および第２接続部と、第１接続部および第２接続部を介して受信する第１の規格に対応する信号および第２の規格に対応する信号のうちの１つを選択する機能を有する制御部と、制御部により選択される信号に基づいて映像を表示する表示部とを設け、制御部を、第１の機器が第１接続部に接続されたことに応答して、第１接続部および第２接続部を介して受信する信号のうち、第１の規格に対応する第１接続部を介して受信する信号を優先して選択して表示部にその信号に対応する映像を表示するように構成することによって、第１の機器が第１接続部に接続された場合に、制御部が第１接続部を介して受信する信号を優先して選択して表示部に映像が表示されるので、ユーザが選択する操作を行うことなく、複数の接続部を介して受信する複数の信号のうちの１つを選択して表示部に映像を表示することができる。
【００１４】
上記第２の局面による表示装置において、好ましくは、制御部は、第１接続部に接続される第１の機器から送信される第１接続部が接続されたことを知らせる接続信号に基づいて、第１接続部を介して受信する信号を優先して選択して表示部にその信号に対応する映像を表示するように構成されている。このように構成すれば、制御部は、容易に、第１の機器が第１接続部に接続されたことを検知することができるので、第１の機器が第１接続部に接続された場合に、容易に、第１接続部を介して受信する信号を優先して選択して表示部にその信号に対応する映像を表示させることができる。
【００１５】
上記第２の局面による表示装置において、好ましくは、テレビジョン信号を受信するテレビジョン受信部をさらに備え、第１接続部に接続される第１の機器の接続が切断された場合には、制御部は、第２接続部を介して受信する信号またはテレビジョン信号を選択して表示部に映像を表示するように構成されている。このように構成すれば、第１の機器の接続が切断された場合に、制御部が第１接続部以外の接続部を介して受信する信号またはテレビジョン信号を選択して表示部に映像を表示するので、映像を表示しない状態が発生するのを抑制することができる。
【００１６】
上記第２の局面による表示装置において、好ましくは、第１の規格は、ＨＤＭＩ規格である。このように構成すれば、ＨＤＭＩ規格に対応する接続部が接続された場合に、制御部がＨＤＭＩ規格に対応する接続部を介して受信する信号を優先して選択するので、ＨＤＭＩ規格に対応する接続部を介して受信する信号に基づいた映像を優先して表示部に表示することができる。
【発明を実施するための最良の形態】
【００１７】
以下、本発明を具体化した実施形態を図面に基づいて説明する。
【００１８】
図１は、本発明の一実施形態によるテレビジョン装置の構成を説明するためのブロック図である。図２は、図１に示した本発明の一実施形態によるテレビジョン装置の詳細を示した図である。まず、図１および図２を参照して、本発明の一実施形態によるテレビジョン装置１００の構成について説明する。なお、本実施形態では、表示装置の一例であるテレビジョン装置に本発明を適用した場合について説明する。
【００１９】
本発明の一実施形態によるテレビジョン装置１００は、図１に示すように、映像を含む信号を伝達するための複数の規格にそれぞれ対応する複数の接続部を備えている。具体的には、テレビジョン装置１００は、テレビジョン信号の規格に対応するとともに、テレビジョン信号を受信するテレビアンテナ２０が接続されるアンテナ接続部１と、コンポジット映像信号の規格に対応するとともに、ビデオ再生機２１およびビデオ再生機２２が接続されるビデオ端子接続部２と、コンポーネント映像信号の規格に対応するとともに、少なくともＤＶＤ（デジタル多用途ディスク）の再生機能を有するＤＶＤ装置２３およびＤＶＤ装置２４が接続されるコンポーネント端子接続部３とを備えている。なお、ビデオ再生機２１、２２およびＤＶＤ装置２３、２４は、それぞれ、本発明の「第２の機器」の一例であり、ビデオ端子接続部２およびコンポーネント端子接続部３は、それぞれ、本発明の「第２接続部」の一例である。ここで、コンポジット映像信号とは、テレビジョン映像を構成する輝度信号および色信号を合成して同時に扱えるようにした複合映像信号のことであり、コンポーネント映像信号とは、テレビジョン映像を構成する輝度信号、同期信号および色信号をそれぞれ分解して扱えるようにした映像信号のことである。
【００２０】
また、テレビジョン装置１００は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）の規格に対応するとともに、少なくともＤＶＤ（デジタル多用途ディスク）の再生機能を有するＤＶＤ装置２５が接続されるＨＤＭＩ端子接続部４をさらに備えている。なお、ＤＶＤ装置２５は、本発明の「第１の機器」の一例であり、ＨＤＭＩ端子接続部４は、本発明の「第１接続部」の一例である。ここで、ＨＤＭＩは、テレビジョンとビデオ再生機またはＤＶＤ装置とを接続し、映像だけではなく、音声や制御信号も１本のケーブルで転送可能なデジタルケーブルの規格の１つであるとともに、装置が起動した状態のままで、接続部の脱着を行うことが可能なホットプラグの機能を有している。
【００２１】
また、テレビジョン装置１００は、アンテナ接続部１を介してテレビジョン信号を受信するチューナ部５と、ビデオ端子接続部２を介してコンポジット映像信号を受信するビデオ受信部６と、コンポーネント端子接続部３を介してコンポーネント映像信号を受信するコンポーネント受信部７と、ＨＤＭＩ端子接続部４を介してデジタル信号を受信するＨＤＭＩ受信部８とをさらに備えている。なお、チューナ部５は、本発明の「テレビジョン受信部」の一例である。
【００２２】
また、テレビジョン装置１００は、テレビジョン装置１００全体の制御を行う制御部９と、映像を表示する表示部１０とをさらに備えている。
【００２３】
ここで、本実施形態では、制御部９は、チューナ部５、ビデオ受信部６、コンポーネント受信部７およびＨＤＭＩ受信部８がそれぞれ受信する信号を取得し、取得した信号のうちの１つを選択する機能を有している。
【００２４】
また、制御部９は、ＤＶＤ装置２５がＨＤＭＩ端子接続部４に接続された場合に、ＤＶＤ装置２５から送信されるホットプラグ接続信号を、ＨＤＭＩ端子接続部４を介して受信するように構成されている。ここで、ホットプラグ接続信号とは、ＨＤＭＩが有するホットプラグの機能によってＤＶＤ装置２５から送信されるＤＶＤ装置２５がＨＤＭＩ端子接続部４に接続されたことを制御部９に知らせる接続信号の一例である。また、制御部９は、ＤＶＤ装置２５が起動されている状態のみならず、起動される前のスタンバイの状態においても、ＤＶＤ装置２５がＨＤＭＩ端子接続部４に接続された場合には、ＤＶＤ装置２５からホットプラグ接続信号を受信することが可能なように構成されている。また、制御部９は、ＨＤＭＩ端子接続部４に接続されるＤＶＤ装置２５から送信されるホットプラグ接続信号に基づいて、ＨＤＭＩ端子接続部４を介して受信するデジタル信号を優先して選択して表示部１０に映像を表示するように構成されている。これにより、テレビジョン装置１００は、制御部９が、容易に、ＤＶＤ２５がＨＤＭＩ端子接続部４に接続されたことを検知することができるので、ＤＶＤ２５がＨＤＭＩ端子接続部４に接続された場合に、容易に、ＨＤＭＩ端子接続部４を介して受信する信号を優先して選択して表示部１０にその信号に対応する映像を表示させることができる。
【００２５】
また、制御部９は、ＨＤＭＩ端子接続部４に接続されるＤＶＤ装置２５の接続が切断された場合には、テレビジョン信号を選択して、表示部１０に映像を表示するように構成されている。また、ＨＤＭＩ端子接続部４を介して受信されるデジタル信号に含まれる画像サイズ情報などを取得するために、制御部９は、ＨＤＭＩ受信部８と双方向に通信することが可能なように接続されている。
【００２６】
また、表示部１０は、制御部９により選択される信号に基づいて映像を表示するように構成されている。また、図２に示すように、表示部１０は、ＨＤＭＩ端子接続部４を介して受信するデジタル信号に基づいて映像を表示する場合に、表示部の一部にＨＤＭＩと表示するように構成されている。これにより、ユーザが表示部１０に表示されている映像が、ＨＤＭＩ端子接続部４を介して受信した信号に基づいた映像であることを確認することが可能である。
【００２７】
図３は、図１に示した本発明の一実施形態によるテレビジョンのＨＤＭＩ端子接続部が接続された場合の動作を説明するためのフローチャートである。次に、図３を参照して、本発明の一実施形態によるテレビジョン装置１００のＨＤＭＩ端子接続時の動作について説明する。
【００２８】
まず、図３のステップＳ１において、ＤＶＤ装置２５から送信されるホットプラグ接続信号を受信したか否かが判断され、受信していないと判断された場合には、この判断が繰り返される。そして、ホットプラグ接続信号を受信したと判断された場合には、ステップＳ２において、ＨＤＭＩ端子接続部４を介して受信するデジタル信号が選択され、表示部１０に映像が表示されて、動作は終了される。
【００２９】
本実施形態では、上記のように、映像を含む信号を伝達するための複数の規格にそれぞれ対応するアンテナ接続部１、ビデオ端子接続部２、コンポーネント端子接続部３およびＨＤＭＩ端子接続部４と、これら複数の接続部１〜４を介して受信する複数の信号のうちの１つを選択する機能を有する制御部９と、制御部９により選択される信号に基づいて、映像を表示する表示部１０とを設け、制御部９を、ＤＶＤ装置２５がＨＤＭＩ端子接続部４に接続されたことに応答して、複数の接続部１〜４を介して受信する信号のうち、ＨＤＭＩの規格に対応するＨＤＭＩ端子接続部４を介して受信する信号を優先して選択して表示部１０にその信号に対応する映像を表示するように構成することによって、ＤＶＤ装置２５がＨＤＭＩ端子接続部４に接続された場合に、制御部９がＨＤＭＩ端子接続部４を介して受信する信号を優先して選択して表示部１０に映像が表示されるので、ユーザが選択する操作を行うことなく、複数の接続部（アンテナ接続部１、ビデオ端子接続部２、コンポーネント端子接続部３およびＨＤＭＩ端子接続部４）を介して受信する複数の信号のうちの１つを選択して表示部１０に映像を表示することができる。
【００３０】
また、本実施形態では、制御部９を、ＨＤＭＩ端子接続部４に接続されるＤＶＤ装置２５から送信されるＨＤＭＩ端子接続部４が接続されたことを知らせるホットプラグ接続信号に基づいて、ＨＤＭＩ端子接続部４を介して受信する信号を優先して選択して表示部１０にその信号に対応する映像を表示するように構成することによって、制御部９は、容易に、ＤＶＤ装置２５がＨＤＭＩ端子接続部４に接続されたことを検知することができるので、ＤＶＤ装置２５がＨＤＭＩ端子接続部４に接続された場合に、容易に、ＨＤＭＩ端子接続部４を介して受信する信号を優先して選択して表示部１０にその信号に対応する映像を表示させることができる。
【００３１】
また、本実施形態では、テレビジョン信号を受信するチューナ部５を設け、ＨＤＭＩ端子接続部４に接続されるＤＶＤ装置２５の接続が切断された場合に、制御部９を、テレビジョン信号を選択して表示部１０に映像を表示するように構成することによって、ＤＶＤ装置２５の接続が切断された場合に、制御部９がテレビジョン信号を選択して表示部１０に映像を表示するので、映像を表示しない状態が発生するのを抑制することができる。
【００３２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３３】
たとえば、上記実施形態では、表示装置の一例としてテレビジョン装置を示したが、本発明はこれに限らず、複数の規格にそれぞれ対応する複数の端子を備えた表示装置であれば、テレビジョン装置以外の他の表示装置にも適用可能である。
【００３４】
また、上記実施形態では、ビデオ端子接続部２、コンポーネント端子接続部３およびＨＤＭＩ端子接続部４に接続する機器の一例として、それぞれビデオ再生機およびＤＶＤ装置を示したが、本発明はこれに限らず、それぞれの規格に対応可能な機器であれば、ビデオ再生機およびＤＶＤ装置以外の他の機器としてもよい。
【００３５】
また、上記実施形態では、ＨＤＭＩ端子接続部４に接続されるＤＶＤ装置２５の接続が切断された場合に、制御部９を、テレビジョン信号を選択して表示部１０に映像を表示するように構成する例を示したが、本発明はこれに限らず、ビデオ端子接続部２を介して受信する信号、または、コンポーネント端子接続部３を介して受信する信号を選択するようにしてもよい。
【００３６】
また、上記実施形態では、第１の規格の一例としてＨＤＭＩの規格を示したが、本発明はこれに限らず、ホットプラグの機能を備えた規格であれば、ＨＤＭＩ以外の他の規格であってもよい。
【００３７】
また、上記実施形態では、表示部１０を、ＨＤＭＩ端子接続部４を介して受信したデジタル信号に基づいた映像を表示する場合に、表示部の一部にＨＤＭＩと表示するように構成する例を示したが、本発明はこれに限らず、他の接続部を介して受信した信号に基づいた映像を表示する場合にも、いずれの信号に基づく映像であるかが分かるような表示を行ってもよい。
【図面の簡単な説明】
【００３８】
【図１】本発明の一実施形態によるテレビジョン装置の構成を説明するためのブロック図である。
【図２】図１に示した本発明の一実施形態によるテレビジョン装置の詳細を示した図である。
【図３】図１に示した本発明の一実施形態によるテレビジョン装置のＨＤＭＩ端子接続部が接続された場合の動作を説明するためのフローチャートである。
【符号の説明】
【００３９】
２          ビデオ端子接続部（第２接続部）
３          コンポーネント端子接続部（第２接続部）
４          ＨＤＭＩ端子接続部（第１接続部）
５          チューナ部（テレビジョン受信部）
９          制御部
１０        表示部
２１、２２  ビデオ再生機（第２の機器）
２３、２４  ＤＶＤ装置（第２の機器）
２５        ＤＶＤ装置（第１の機器）
１００      テレビジョン装置（表示装置）
【図１】
2008219544.tif 000003
【図２】
2008219544.tif 000004
【図３】
2008219544.tif 000005